(57)【要約】      （修正有）【課題】タッチパネルのカバーの表面が曲面や球面であっても、検出位置によって検出感度が不均一にならないタッチパネルを提供する。【解決手段】タッチパネルは、基材３１と基材上に配置された第１電極、第２電極、観察者側の面であるタッチパネル表面２１ａを有するカバー２１とを備える。第１電極は、第１方向に延び、且つ第１方向に交差する第２方向に並ぶ複数の第１線状部分４５ａを含む。第２電極は、隣り合う２つの第１線状部分４５ａの間に位置し、第１方向に延び、且つ第２方向に並ぶ複数の第２線状部分４６ａを含む。第２方向における位置ｘに配置された第１線状部分４５ａとタッチパネル表面との間の距離Ｄ（ｘ）、位置ｘに配置された第１線状部分４５ａと当該第１線状部分４５ａに隣り合う第２線状部分４６ａとの間の間隔Ｓ（ｘ）の関係が、所定の条件を満たすように構成する。【選択図】図８Ａ
2018112843.tif 000002
【特許請求の範囲】
【請求項１】
基材と、基材上に配置された第１電極及び第２電極を含む複数のセンサ電極と、を有するタッチパネルセンサと、
前記タッチパネルセンサより観察者側に位置し、観察者側の面であるタッチパネル表面を有するカバーと、を備え、
前記第１電極は、第１方向に延び、且つ前記第１方向に交差する第２方向に並ぶ複数の第１線状部分を含み、
前記第２電極は、隣り合う２つの前記第１線状部分の間に位置し、前記第１方向に延び、且つ前記第２方向に並ぶ複数の第２線状部分を含み、
前記第２方向における位置ｘに配置された前記センサ電極の前記第１線状部分と前記タッチパネル表面との間の距離をＤ（ｘ）で表し、位置ｘに配置された前記センサ電極の前記第１線状部分と当該前記第１線状部分に隣り合う前記第２線状部分との間の間隔をＳ（ｘ）で表す場合、次の条件を満たす、タッチパネル。
Ｄ（ｘＡ）＞Ｄ（ｘＢ）である少なくとも一組の位置ｘＡ，ｘＢに関して、Ｓ（ｘＡ）＞Ｓ（ｘＢ）
【請求項２】
前記センサ電極は、隣り合う前記第１線状部分と前記第２線状部分との間に位置し、前記第１電極及び前記第２電極のいずれにも接続されていないダミー電極をさらに有する、請求項１に記載のタッチパネル。
【請求項３】
前記間隔Ｓ（ｘ）と前記距離Ｄ（ｘ）とは、位置ｘＡと位置ｘＢの間で位置ｘＡから位置ｘＢに向かって順に並ぶ位置ｘ１ＡＢ，・・・，ｘｍＡＢ（ｍは１以上の自然数）に関して、次の条件を満たす、請求項１または２に記載のタッチパネル。
Ｄ（ｘＡ）＞Ｄ（ｘ１ＡＢ）＞・・・＞Ｄ（ｘｍＡＢ）＞Ｄ（ｘＢ）
且つ、Ｓ（ｘＡ）≧Ｓ（ｘ１ＡＢ）≧・・・≧Ｓ（ｘｍＡＢ）≧Ｓ（ｘＢ）
【請求項４】
前記カバーの前記タッチパネル表面のうち、前記第２方向において位置ｘＡと位置ｘＢの間に位置する部分は、曲面である、請求項１乃至３のいずれか一項に記載のタッチパネル。
【請求項５】
前記間隔Ｓ（ｘ）と前記距離Ｄ（ｘ）とは、前記第２方向において位置ｘＡと位置ｘＢの間には位置しない一組の位置ｘＣ，ｘＤとの間で位置ｘＣから位置ｘＤに向かって順に並ぶ位置ｘ１ＣＤ，・・・，ｘｎＣＤ（ｎは１以上の自然数）に関して、次の条件を満たす、請求項１乃至４のいずれか一項に記載のタッチパネル。
Ｄ（ｘＣ）＞Ｄ（ｘ１ＣＤ）＞・・・＞Ｄ（ｘｎＣＤ）＞Ｄ（ｘＤ）
且つ、Ｓ（ｘＣ）≧Ｓ（ｘ１ＣＤ）≧・・・≧Ｓ（ｘｎＣＤ）≧Ｓ（ｘＤ）
【請求項６】
位置ｘＡ〜ｘＤは、前記第２方向において位置ｘＢ、位置ｘＡ、位置ｘＣ、位置ｘＤの順に並ぶ、請求項５に記載のタッチパネル。
【請求項７】
位置ｘＡと位置ｘＣとの間の位置ｘｍａｘにおいて、前記距離Ｄ（ｘ）が最大となり、
位置ｘｍａｘから前記第２方向の一側に向かって前記距離Ｄ（ｘ）は単調減少し、
位置ｘｍａｘから前記第２方向の他側に向かって前記距離Ｄ（ｘ）は単調減少する、請求項６に記載のタッチパネル。
【請求項８】
位置ｘＢは、前記第２方向において最も一側に位置する前記センサ電極の位置であり、
位置ｘＤは、前記第２方向において最も他側に位置する前記センサ電極の位置である、請求項６または７に記載のタッチパネル。
【請求項９】
位置ｘＡ〜ｘＤは、前記第２方向において位置ｘＡ、位置ｘＢ、位置ｘＤ、位置ｘＣの順に並ぶ、請求項５に記載のタッチパネル。
【請求項１０】
位置ｘＢと位置ｘＤとの間の位置ｘｍｉｎにおいて、前記距離Ｄ（ｘ）が最小となり、
位置ｘｍｉｎから前記第２方向の一側に向かって前記距離Ｄ（ｘ）は単調増加し、
位置ｘｍｉｎから前記第２方向の他側に向かって前記距離Ｄ（ｘ）は単調増加する、請求項９に記載のタッチパネル。
【請求項１１】
位置ｘＡは、前記第２方向において最も一側に位置する前記センサ電極の位置であり、
位置ｘＣは、前記第２方向において最も他側に位置する前記センサ電極の位置である、請求項９または１０に記載のタッチパネル。
【請求項１２】
前記カバーの前記タッチパネル表面のうち、前記第２方向において位置ｘＣと位置ｘＤの間に位置する部分は、曲面である、請求項５乃至１１のいずれか一項に記載のタッチパネル。
【請求項１３】
前記曲面は、凸曲面または凹曲面のいずれか一方である、請求項４または１２に記載のタッチパネル。
【請求項１４】
前記基材の前記センサ電極が設けられた側の面は、平面である、請求項１乃至１３のいずれか一項に記載のタッチパネル。
【請求項１５】
前記センサ電極は、網目状に配置され金属を含む複数の導線を含む、請求項１乃至１４のいずれか一項に記載のタッチパネル。
【発明の詳細な説明】
【技術分野】
【０００１】
本発明は、タッチパネルに関する。
【背景技術】
【０００２】
タッチパネルが入力手段として設けられた表示装置が広く用いられている。例えば、券売機、ＡＴＭ装置、携帯電話、ゲーム機等に用いられている。タッチパネルは、外部導体の接近又は接触を検出するためのセンサ電極を含むタッチパネルセンサを備える。
【０００３】
タッチパネルセンサの構造として、基材の片側にセンサ電極及び配線を設ける構造が知られている。例えば特許文献１において、タッチパネルセンサは、駆動電極及び検出電極を有し、基材の片側に二次元配列された複数のセンサ電極と、駆動電極に接続されたドライブ線と、検出電極に接続されたセンス線と、を備える。検出電極には、駆動電極と検出電極との間に形成されるコンデンサを介した容量結合によって、駆動電極からの信号が伝達される。また、タッチパネルに外部導体が接近又は接触すると、外部導体と駆動電極の間にもコンデンサが形成され、駆動電極からの信号の一部が外部導体に伝達される。この結果、検出電極に伝達される信号が変化する。このような信号の変化に基づいて、外部導体の位置を算出することができる。
【０００４】
タッチパネルは、例えば特許文献１に開示されているように、タッチパネルセンサを保護するためのカバーを備える。特許文献１において、カバーは平板状であり、カバーの表面と駆動電極との間の距離は一定である。このため、カバーの表面に外部導体が接触した時に外部導体と駆動電極の間に形成されるコンデンサの静電容量も、カバーの表面の位置に依らず一定である。
【先行技術文献】
【特許文献】
【０００５】
【特許文献１】特開２０１４−２０９３４４号公報
【発明の概要】
【発明が解決しようとする課題】
【０００６】
デザインの観点などから、カバーの表面を曲面や球面にする場合がある。この場合、カバーの表面と駆動電極との間の距離が一定でなく、このため、カバーの表面に外部導体が接触した時に外部導体と駆動電極の間に形成されるコンデンサの静電容量が、カバーの表面の位置に依って異なる。従って、カバーの表面に外部導体が接触した時に生じる、検出電極に伝達される信号の変化の程度も、カバーの表面の位置に依って異なる。この結果、外部導体の位置を検出する感度が、カバーの表面の位置に依って不均一になってしまうことが考えられる。検出感度がカバーの表面の位置に依って不均一となると、カバー表面の位置によって検出感度が不足したり、過剰であったりする位置が存在し得る。
【０００７】
本発明は、このような課題を効果的に解決し得るタッチパネルを提供することを目的とする。
【課題を解決するための手段】
【０００８】
本発明のタッチパネルは、
基材と、基材上に配置された第１電極及び第２電極を含む複数のセンサ電極と、を有するタッチパネルセンサと、
前記タッチパネルセンサより観察者側に位置し、観察者側の面であるタッチパネル表面を有するカバーと、を備え、
前記第１電極は、第１方向に延び、且つ前記第１方向に交差する第２方向に並ぶ複数の第１線状部分を含み、
前記第２電極は、隣り合う２つの前記第１線状部分の間に位置し、前記第１方向に延び、且つ前記第２方向に並ぶ複数の第２線状部分を含み、
前記第２方向における位置ｘに配置された前記センサ電極の前記第１線状部分と前記タッチパネル表面との間の距離をＤ（ｘ）で表し、位置ｘに配置された前記センサ電極の前記第１線状部分と当該前記第１線状部分に隣り合う前記第２線状部分との間の間隔をＳ（ｘ）で表す場合、次の条件を満たす。
Ｄ（ｘＡ）＞Ｄ（ｘＢ）である少なくとも一組の位置ｘＡ，ｘＢに関して、Ｓ（ｘＡ）＞Ｓ（ｘＢ）
【０００９】
本発明のタッチパネルにおいて、前記センサ電極は、隣り合う前記第１線状部分と前記第２線状部分との間に位置し、前記第１電極及び前記第２電極のいずれにも接続されていないダミー電極をさらに有してもよい。
【００１０】
本発明のタッチパネルにおいて、前記間隔Ｓ（ｘ）と前記距離Ｄ（ｘ）とは、位置ｘＡと位置ｘＢの間で位置ｘＡから位置ｘＢに向かって順に並ぶ位置ｘ１ＡＢ，・・・，ｘｍＡＢ（ｍは１以上の自然数）に関して、次の条件を満たしてもよい。
Ｄ（ｘＡ）＞Ｄ（ｘ１ＡＢ）＞・・・＞Ｄ（ｘｍＡＢ）＞Ｄ（ｘＢ）
且つ、Ｓ（ｘＡ）≧Ｓ（ｘ１ＡＢ）≧・・・≧Ｓ（ｘｍＡＢ）≧Ｓ（ｘＢ）
【００１１】
本発明のタッチパネルセンサにおいて、前記カバーの前記タッチパネル表面のうち、前記第２方向において位置ｘＡと位置ｘＢの間に位置する部分は、曲面であってもよい。
【００１２】
本発明のタッチパネルセンサにおいて、前記間隔Ｓ（ｘ）と前記距離Ｄ（ｘ）とは、前記第２方向において位置ｘＡと位置ｘＢの間には位置しない一組の位置ｘＣ，ｘＤとの間で位置ｘＣから位置ｘＤに向かって順に並ぶ位置ｘ１ＣＤ，・・・，ｘｎＣＤ（ｎは１以上の自然数）に関して、次の条件を満たしてもよい。
Ｄ（ｘＣ）＞Ｄ（ｘ１ＣＤ）＞・・・＞Ｄ（ｘｎＣＤ）＞Ｄ（ｘＤ）
且つ、Ｓ（ｘＣ）≧Ｓ（ｘ１ＣＤ）≧・・・≧Ｓ（ｘｎＣＤ）≧Ｓ（ｘＤ）
【００１３】
本発明のタッチパネルセンサにおいて、位置ｘＡ〜ｘＤは、前記第２方向において位置ｘＢ、位置ｘＡ、位置ｘＣ、位置ｘＤの順に並んでもよい。
【００１４】
本発明のタッチパネルセンサにおいて、位置ｘＡと位置ｘＣとの間の位置ｘｍａｘにおいて、前記距離Ｄ（ｘ）が最大となり、位置ｘｍａｘから前記第２方向の一側に向かって前記距離Ｄ（ｘ）は単調減少し、位置ｘｍａｘから前記第２方向の他側に向かって前記距離Ｄ（ｘ）は単調減少してもよい。
【００１５】
本発明のタッチパネルセンサにおいて、位置ｘＢは、前記第２方向において最も一側に位置する前記センサ電極の位置であり、位置ｘＤは、前記第２方向において最も他側に位置する前記センサ電極の位置であってもよい。
【００１６】
本発明のタッチパネルセンサにおいて、位置ｘＡ〜ｘＤは、前記第２方向において位置ｘＡ、位置ｘＢ、位置ｘＤ、位置ｘＣの順に並んでもよい。
【００１７】
本発明のタッチパネルセンサにおいて、位置ｘＢと位置ｘＤとの間の位置ｘｍｉｎにおいて、前記距離Ｄ（ｘ）が最小となり、位置ｘｍｉｎから前記第２方向の一側に向かって前記距離Ｄ（ｘ）は単調増加し、位置ｘｍｉｎから前記第２方向の他側に向かって前記距離Ｄ（ｘ）は単調増加してもよい。
【００１８】
本発明のタッチパネルセンサにおいて、位置ｘＡは、前記第２方向において最も一側に位置する前記センサ電極の位置であり、位置ｘＣは、前記第２方向において最も他側に位置する前記センサ電極の位置であってもよい。
【００１９】
本発明のタッチパネルセンサにおいて、前記カバーの前記タッチパネル表面のうち、前記第２方向において位置ｘＣと位置ｘＤの間に位置する部分は、曲面であってもよい。
【００２０】
本発明のタッチパネルセンサにおいて、前記曲面は、凸曲面または凹曲面のいずれか一方であってもよい。
【００２１】
本発明のタッチパネルセンサにおいて、前記基材の前記センサ電極が設けられた側の面は、平面であってもよい。
【００２２】
本発明のタッチパネルセンサにおいて、前記センサ電極は、網目状に配置され金属を含む複数の導線を含んでもよい。
【発明の効果】
【００２３】
本発明によれば、タッチパネルにおいて、カバーの表面と駆動電極との距離が一定でなくても、外部導体の位置を検出する感度を均一にすることができる。
【図面の簡単な説明】
【００２４】
【図１】図１は、タッチ位置検出機能付き表示装置を示す展開図である。
【図２】図２は、タッチパネルセンサ全体を示す平面図である。
【図３】図３は、タッチパネルセンサの一部を拡大して示す平面図である。
【図４】図４は、タッチパネルセンサの１つのセンサ電極を示す平面図である。
【図５】図５は、図４に示すセンサ電極のうち符号Ｖが付された枠で囲まれた部分を拡大して示す平面図である。
【図６】図６は、タッチパネルセンサの断面を示す図である。
【図７】図７は、タッチパネルの断面の一例を示す図である。
【図８Ａ】図８Ａは、タッチパネルの断面構造の一例を示す図である。
【図８Ｂ】図８Ｂは、タッチパネルセンサの断面構造の一例を示す図である。
【図９】図９は、本発明の実施の形態に係るタッチパネルの作用を説明するための図である。
【図１０】図１０は、比較の形態に係るタッチパネルの作用を説明するための図である。
【図１１】図１１は、図３に対応する図であって、センサ電極の一変形例を示す平面図である。
【図１２】図１２は、図４に対応する図であって、センサ電極の一変形例を示す平面図である。
【図１３】図１３は、図５に対応する図であって、センサ電極の一変形例を示す平面図である。
【図１４】図１４は、図１に対応する図であって、タッチパネルの一変形例を示す展開図である。
【図１５】図１５は、図６に対応する図であって、タッチパネルの一変形例を示す断面図である。
【図１６】図１６は、図７に対応する図であって、タッチパネルの一変形例を示す断面図である。
【発明を実施するための形態】
【００２５】
以下、図１乃至図１０を参照して、本発明の実施の形態の一例について説明する。なお、本明細書に添付する図面においては、図示と理解のしやすさの便宜上、適宜縮尺および縦横の寸法比等を、実物のそれらから変更し誇張してある。また本明細書において、「基板」、「基材」、「シート」や「フィルム」など用語は、呼称の違いのみに基づいて、互いから区別されるものではない。例えば、「基材」は、基板、シートやフィルムと呼ばれ得るような部材も含む概念である。さらに、本明細書において用いる、形状や幾何学的条件並びにそれらの程度を特定する、例えば、「平行」や「直交」等の用語や長さや角度の値等については、厳密な意味に縛られることなく、同様の機能を期待し得る程度の範囲を含めて解釈することとする。
【００２６】
タッチ位置検出機能付き表示装置
はじめに図１を参照して、タッチ位置検出機能付き表示装置１について説明する。図１に示すように、タッチ位置検出機能付き表示装置１は、液晶ディスプレイや有機ＥＬディスプレイなどの表示装置１０と、表示装置１０の観察者側に配置されたタッチパネル２０と、を組み合わせることによって構成されている。表示装置１０は、表示面１６ａを有する表示パネル１６と、表示パネル１６に接続された表示制御部（図示せず）と、を有している。表示パネル１６は、映像を表示することができるアクティブエリアＡ１と、アクティブエリアＡ１を取り囲むようにしてアクティブエリアＡ１の外側に配置された非アクティブエリア（額縁領域とも呼ばれる）Ａ２と、を含んでいる。表示制御部は、表示されるべき映像に関する情報を処理し、映像情報に基づいて表示パネル１６を駆動する。表示パネル１６は、表示制御部の制御信号に基づいて、所定の映像を表示面１６ａに表示する。すなわち、表示装置１０は、文字や図等の情報を映像として出力する出力装置としての役割を担っている。
【００２７】
タッチパネル
タッチパネル２０は、カバー２１と、カバー２１に保護されているタッチパネルセンサ３０と、を有している。すなわち、カバー２１は、タッチパネルセンサ３０より観察者側に位置する。タッチパネル２０は、表示パネル１６の表示面１６ａに、例えば接着層（図示せず）を介して接着されている。カバー２１において、観察者側の面がタッチパネル表面２１ａとなっている。タッチパネル表面２１ａは、曲面２１ａ１を含んでいる。図１に示した例では、タッチパネル表面２１ａは、凸曲面を含んでいる。カバー２１は、ガラス等の透明な材料を含む。なお、本明細書において、透明とは、分光光度計（（株）島津製作所製「ＵＶ−３１００ＰＣ」、ＪＩＳ  Ｋ  ０１１５準拠品）を用いて測定波長３８０ｎｍ〜７８０ｎｍの範囲内で測定したときの、各波長における透過率の平均値として特定される可視光透過率が、８０％以上であることを意味する。カバー２１の厚みの最大値は、例えば３ｍｍ以上且つ５０ｍｍ以下である。また、カバー２１の厚みの最小値は、例えば１ｍｍ以上且つ４０ｍｍ以下である。また、カバー２１の厚みの最大値と最小値の差は、例えば１ｍｍ以上且つ４０ｍｍ以下である。
【００２８】
タッチパネルセンサ
次に図１及び図２を参照して、タッチパネルセンサ３０について説明する。図２は、観察者側から見た場合のタッチパネルセンサ３０を示す平面図である。タッチパネルセンサ３０は、相互容量方式のタッチパネルセンサとして構成されている。
【００２９】
図１及び図２に示すように、タッチパネルセンサ３０は、観察者側の第１面３１ａを含む、矩形状の基材３１を有する。本実施の形態において、基材３１の第１面３１ａは、平面である。基材３１は、外部導体が検出され得る領域に対応する矩形状のアクティブエリアＡａ１と、アクティブエリアＡａ１の周辺に位置する矩形枠状の非アクティブエリアＡａ２と、を含んでいる。また、図２に示すように、タッチパネルセンサ３０は、複数のセンサ電極４０、複数の第１配線３５及び複数の第２配線３６を有する。センサ電極４０、第１配線３５の一部及び第２配線３６の一部は、基材３１のアクティブエリアＡａ１に配置されており、第１配線３５のその他の部分及び第２配線３６のその他の部分は、基材３１の非アクティブエリアＡａ２に配置されている。また、センサ電極４０、第１配線３５及び第２配線３６はいずれも、基材３１の第１面３１ａ側に配置されている。
【００３０】
（基材）
基材３１を構成する材料としては、例えば、ポリエチレンテレフタレート（ＰＥＴ）、シクロオレフィンポリマー（ＣＯＰ）などの有機材料や、ガラスなどの無機材料など、十分な透光性を有する材料が用いられる。基材３１が例えばＰＥＴなどの有機材料を含む場合、基材３１の厚みは例えば３０μｍ以上且つ２００μｍ以下であり、好ましくは３０μｍ以上且つ１００μｍ以下である。なお、センサ電極４０、第１配線３５及び第２配線３６を適切に保持することができる限りにおいて、基材３１の具体的な構成が特に限られることはない。例えば、基材３１は、ＰＥＴフィルムの表面に設けられたハードコート層を更に含んでいてもよい。
【００３１】
（センサ電極）
図２に示すように、複数のセンサ電極４０は、基材３１の第１面３１ａ上に二次元配列されている。例えば、複数のセンサ電極４０は、第３方向Ｄ３及び第３方向Ｄ３に交差する第４方向Ｄ４に沿って並んでいる。図２に示す例において、第４方向Ｄ４は第３方向Ｄ３に直交している。以下の説明において、第３方向Ｄ３及び第４方向Ｄ４において最も一側に位置するセンサ電極４０（図２における左上のセンサ電極）を基準として、第３方向Ｄ３においてｖ番目に位置し、且つ第４方向Ｄ４においてｗ番目に位置するセンサ電極４０のことを、センサ電極４０＿ｖｗとも称する。ｖ及びｗは任意の正の整数である。
【００３２】
図３は、図２に示すタッチパネルセンサ３０の複数のセンサ電極４０の一部、例えばセンサ電極４０＿１１、センサ電極４０＿１２、センサ電極４０＿１３及びセンサ電極４０＿２１、センサ電極４０＿２２、センサ電極４０＿２３を拡大して示す平面図である。センサ電極４０は、互いに対向する第１電極４５及び第２電極４６を有する。第１電極４５及び第２電極４６の一方は、電圧が印加される駆動電極として機能し、他方は、信号を検出する検出電極として機能する。例えば、第１電極４５が駆動電極である場合、第２電極４６が検出電極として機能する。この場合、第２電極４６には、第１電極４５と第２電極４６との間に形成されるコンデンサの容量結合によって、第１電極４５からの電圧が伝達される。
【００３３】
第１電極４５は、複数の第１線状部分４５ａと、複数の第１線状部分４５ａに接続された第１接続部分４５ｂと、を含む。複数の第１線状部分４５ａは、第１方向Ｄ１に延び、且つ第１方向Ｄ１に交差する第２方向Ｄ２に並んでいる。各第１線状部分４５ａは、第１方向Ｄ１に延びる一対の側部４５ａ１を含んでいる。また、第１接続部分４５ｂは、第２方向Ｄ２に延びている。第１接続部分４５ｂは、第２方向Ｄ２に延びる一対の側部４５ｂ１を含んでいる。図３に示す例において、第２方向Ｄ２は第１方向Ｄ１に直交している。また、第１方向Ｄ１は上述の第３方向Ｄ３に平行であり、第２方向Ｄ２は上述の第４方向Ｄ４に平行である。
【００３４】
第１電極４５と同様に、第２電極４６も、複数の第２線状部分４６ａと、複数の第２線状部分４６ａに接続された第２接続部分４６ｂと、を含む。複数の第２線状部分４６ａは、第１方向Ｄ１に延び、且つ第１方向Ｄ１に交差する第２方向Ｄ２に並んでいる。各第２線状部分４６ａは、第１方向Ｄ１に延びる一対の側部４６ａ１を含んでいる。また、第２線状部分４６ａは、隣り合う２つの第１線状部分４５ａの間に位置している。例えば、第１線状部分４５ａ及び第２線状部分４６ａは、第２方向Ｄ２に沿って交互に並んでいる。図３に示す例においては、同数の第１線状部分４５ａ及び第２線状部分４６ａが交互に並んでいる。また、第２接続部分４６ｂは、第２方向Ｄ２に延びている。第２接続部分４６ｂは、第２方向Ｄ２に延びる一対の側部４６ｂ１を含んでいる。
【００３５】
図３に示すように、各第１線状部分４５ａの側部４５ａ１は、各第２線状部分４６ａの側部４６ａ１に対向している。この場合、第１線状部分４５ａの側部４５ａ１と第２線状部分４６ａの側部４６ａ１との間には、側部４５ａ１及び側部４６ａ１の対向部分の長さに比例した静電容量が生じる。従って、第１電極４５と第２電極４６との間には、第１線状部分４５ａ及び第２線状部分４６ａの数、並びに側部４５ａ１及び側部４６ａ１の対向部分の長さに比例した静電容量が生じる。このため、上述の特許文献１のように駆動電極及び検出電極の端部でのみ互いに対向する場合に比べて、静電容量を増加させることができる。このことにより、センサ電極４０の検出感度を高めることができる。
【００３６】
後に詳細に説明するように、本実施の形態において、第１線状部分４５ａと第２線状部分４６ａとの間隔、すなわち第１線状部分４５ａの側部４５ａ１と第２線状部分４６ａの側部４６ａ１との距離は、各センサ電極４０の位置に応じて異なり得る。
【００３７】
図３において、符号Ｓ１は、センサ電極４０＿１１及びセンサ電極４０＿２１における第１線状部分４５ａと第２線状部分４６ａとの間隔を表す。また、符号Ｓ２は、センサ電極４０＿１２及びセンサ電極４０＿２２における第１線状部分４５ａと第２線状部分４６ａとの間隔を表す。また、符号Ｓ３は、センサ電極４０＿１３及びセンサ電極４０＿２３における第１線状部分４５ａと第２線状部分４６ａとの間隔を表す。図３に示す例では、間隔Ｓ１，Ｓ２，Ｓ３が、センサ電極４０の位置が第４方向Ｄ４の一側から他側に向かうにつれて大きくなっている。すなわち、間隔Ｓ２は間隔Ｓ１よりも大きく、間隔Ｓ３は間隔Ｓ２よりも大きい。センサ電極４０の位置に応じて第１線状部分４５ａと第２線状部分４６ａとの間隔を調整することの効果については後述する。
【００３８】
図４は、タッチパネルセンサ３０の１つのセンサ電極４０、例えばセンサ電極４０＿１１を拡大して示す図である。また、図５は、図４に示すセンサ電極４０のうち符号Ｖが付された枠で囲まれた部分を拡大して示す平面図である。図４及び図５に示すように、第１電極４５の第１線状部分４５ａ及び第１接続部分４５ｂ並びに第２電極４６の第２線状部分４６ａ及び第２接続部分４６ｂはそれぞれ、網目状に配置された複数の導線４１を含む。図５に示すように、導線４１の一部は、第５方向Ｄ５に沿って直線状に延びており、また、導線４１のその他の一部は、第５方向Ｄ５に交差する第６方向Ｄ６に沿って直線状に延びている。図５に示す例において、第５方向Ｄ５及び第６方向Ｄ６はそれぞれ、第１方向Ｄ１に対して所定の角度、例えば４５°を成している。この場合、各導線４１の間に正方形状の開口部４２が画成される。開口部４２の寸法は、アクティブエリアＡａ１の面積のうち開口部４２によって占められる面積の比率（以下、開口率と称する）が十分に高くなり、これによって、表示装置１０からの映像光が適切な透過率でアクティブエリアＡａ１を透過することができるよう、設定されている。なお、導線４１が延びる方向や開口部４２の形状は特には限定されない。
【００３９】
図４及び図５において、一点鎖線は、第１線状部分４５ａなどのセンサ電極４０の構成要素の輪郭を示すために仮想的に描いた線である。センサ電極４０の各構成要素の輪郭は、導線４１の端部を連結した線によって画定される。例えば図５に示すように、第１線状部分４５ａの側部４５ａ１の輪郭は、第１方向Ｄ１に沿って並ぶ複数の導線４１の端部を連結した線によって画定される。
【００４０】
図４及び図５において、符号Ｇ１は、第１方向Ｄ１に沿って延びる隙間（以下、第１隙間とも称する）を表し、符号Ｇ２は、第２方向Ｄ２に沿って延びる隙間（以下、第２隙間とも称する）を表す。図４及び図５に示す例において、第１隙間Ｇ１は、第１線状部分４５ａの側部４５ａ１と第２線状部分４６ａの側部４６ａ１との間に形成される。また、第２隙間Ｇ２は、第１線状部分４５ａの端部４５ａ２と第２接続部分４６ｂの側部４６ｂ１との間、又は第２線状部分４６ａの端部４６ａ２と第１接続部分４５ｂの側部４５ｂ１との間に形成される。好ましくは、導線４１は、隙間Ｇ１、Ｇ２を挟んで隣接する導線４１の一方を延長すると他方に重なるよう、配置されている。例えば、隙間Ｇ１、Ｇ２は、直線状に延びる１本の導線４１のうち隙間Ｇ１、Ｇ２となるべき領域に位置する部分を、図５に点線で示す分断部４３として除去することによって、構成されている。これによって、隙間Ｇ１、Ｇ２が目立つことを抑制することができる。
【００４１】
図５において、符号ａは、第１隙間Ｇ１の幅を表し、符号ｂは、第２隙間Ｇ２の幅を表す。隙間Ｇ１，Ｇ２が目立つことを抑制するためには、隙間Ｇ１，Ｇ２の幅が小さいことが好ましい。隙間Ｇ１，Ｇ２は、例えば５μｍ以上且つ７０μｍ以下である。本実施の形態においては、第１隙間Ｇ１の幅が、隣り合う第１線状部分４５ａと第２線状部分４６ａとの間隔に等しい。
【００４２】
第１方向Ｄ１に延びる第１線状部分４５ａ及び第２線状部分４６ａにおいて、好ましくは、導線４１同士が交わる交点４１ａが、第１方向Ｄ１に直交する方向（ここでは第２方向Ｄ２）に沿って少なくとも２つ以上並んでいる。この場合、仮に製造時のエッチング不良などによって１個の交点４１ａが除去されてしまった場合であっても、第１線状部分４５ａ及び第２線状部分４６ａに少なくとも１個の交点４１ａを残すことができる。従って、残っている少なくとも１個の交点４１ａを利用して、第１方向Ｄ１に沿って第１線状部分４５ａ及び第２線状部分４６ａに信号を与えることができる。これによって、第１線状部分４５ａ及び第２線状部分４６ａが断線してしまう可能性を低減することができる。
【００４３】
同様に、第２方向Ｄ２に延びる第１接続部分４５ｂ及び第２接続部分４６ｂにおいて、好ましくは、導線４１同士が交わる交点４１ａが、第２方向Ｄ２に直交する方向（ここでは第１方向Ｄ１）に沿って少なくとも２つ以上並んでいる。
【００４４】
図６は、タッチパネルセンサ３０の断面構造の一例を示す図である。図６に示すように、導線４１は、基材３１の第１面３１ａ上に設けられた金属層４１ｘを含んでいる。金属層４１ｘは、例えば、銀、銅、アルミニウムまたはこれらの合金等を含んでいる。金属層４１ｘの幅は、求められる開口率などに応じて設定されるが、例えば１μｍ以上且つ１０μｍ以下である。金属層４１ｘの厚みは、第１電極４５及び第２電極４６に対して求められる電気抵抗値などに応じて適宜設定されるが、例えば０．１μｍ以上且つ５．０μｍ以下である。図６に示す金属層４１ｘは、例えば、基材３１の第１面３１ａ上に全域にわたって設けられた金属層をエッチングなどによってパターニングすることによって得られる。
【００４５】
なお、図示はしないが、導線４１には、導線４１による光の反射を抑制するための低反射処理が施されていてもよい。例えば、金属層４１ｘの表面には黒化処理が施されていてもよい。また、導線４１は、金属層４１ｘの観察者側に低反射層を更に含んでいてもよい。
【００４６】
（第１配線）
次に、第１配線３５について説明する。図２及び図３に示すように、複数の第１配線３５はそれぞれ、対応する第１電極４５に接続されている。第１配線３５のうちアクティブエリアＡａ１に位置する部分は、第１電極４５に接続された接続部分３５ａと、接続部分３５ａから非アクティブエリアＡａ２に向かって第３方向Ｄ３に延びる線状部分３５ｂと、を含む。図２に示すように、第３方向Ｄ３に延びる複数の線状部分３５ｂが第４方向Ｄ４に並んでいてもよい。この場合、図２に示すように、非アクティブエリアＡａ２に位置する第１配線３５までの距離が大きい接続部分３５ａほど、第４方向Ｄ４における幅を大きくしてもよい。これによって、センサ電極４０の面積を位置に依らず一定に維持しながら、複数の線状部分３５ｂを第４方向Ｄ４に並べることができる。
【００４７】
第１配線３５の接続部分３５ａは、好ましくは、図３に示すように、第２電極４６の第２線状部分４６ａの側部４６ａ１に対向するよう第１方向Ｄ１に沿って延びる側部３５ａ１を含む。この場合、第１電極４５と第２電極４６との間だけでなく、第２電極４６の第２線状部分４６ａと第１配線３５との間にも静電容量を生じさせることができ、センサ電極４０の静電容量を増加させることができる。
【００４８】
図４に示すように、第１配線３５も、第１電極４５及び第２電極４６と同様に、網目状に配置された複数の導線４１を含む。第１配線３５を構成する導線４１は、好ましくは、導線４１を延長すると第１電極４５又は第２電極４６の導線４１と重なるよう、配置されている。
【００４９】
（第２配線）
次に、第２配線３６について説明する。図２及び図３に示すように、複数の第２配線３６はそれぞれ、対応する第２電極４６に接続されている。第２配線３６のうちアクティブエリアＡａ１に位置する部分は、第１配線３５の接続部分３５ａに対向する側で第２電極４６に接続された接続部分３６ａを少なくとも含む。図２及び図３に示すように、第３方向Ｄ３に並ぶ複数のセンサ電極４０の第２電極４６に接続された接続部分３６ａは、互いに接続されていてもよい。これによって、アクティブエリアＡａ１に配置される第２配線３６の本数を削減することができる。
【００５０】
第２配線３６の接続部分３６ａは、好ましくは、図３に示すように、第１電極４５の第１線状部分４５ａの側部４５ａ１に対向するよう第１方向Ｄ１に沿って延びる側部３６ａ１を含む。この場合、第１電極４５と第２電極４６との間だけでなく、第１電極４５の第１線状部分４５ａと第２配線３６との間にも静電容量を生じさせることができ、センサ電極４０の静電容量を増加させることができる。
【００５１】
図４に示すように、第２配線３６も、第１電極４５及び第２電極４６と同様に、網目状に配置された複数の導線４１を含む。第２配線３６を構成する導線４１は、好ましくは、導線４１を延長すると第１電極４５又は第２電極４６の導線４１と重なるよう、配置されている。
【００５２】
次に、カバー２１の形状と、センサ電極４０において隣り合う第１線状部分４５ａと第２線状部分４６ａとの間隔との関係について詳細に説明する。具体的には、センサ電極４０の第１線状部分４５ａとカバー２１のタッチパネル表面２１ａとの間の距離と、第１線状部分４５ａと第２線状部分４６ａとの間隔との関係について説明する。まず、図７を参照して、第１線状部分４５ａとタッチパネル表面２１ａとの間の距離について説明する。図７は、複数の第１線状部分４５ａ及び複数の第２線状部分４６ａが並ぶ第２方向Ｄ２に沿ってタッチパネル２０を切断した場合の断面を示している。
【００５３】
図７において、ｘは、第２方向Ｄ２におけるセンサ電極４０の位置を表す変数である。図７では図示の都合上、位置ｘに配置されたセンサ電極４０に含まれる第１線状部分４５ａを、１つだけ図示している。また、図７に示すＤ（ｘ）は、位置ｘに配置されたセンサ電極４０の第１線状部分４５ａと、カバー２１のタッチパネル表面２１ａとの距離を表す。距離Ｄ（ｘ）は、位置ｘにおけるカバー２１の厚さにほぼ等しい。なお、位置ｘに配置されたセンサ電極４０に含まれる複数の第１線状部分４５ａとタッチパネル表面２１ａとの間の距離が同一ではない場合、各第１線状部分４５ａにおける距離の平均を、位置ｘにおける距離Ｄ（ｘ）として考えてもよい。
【００５４】
本実施の形態において、カバー２１のタッチパネル表面２１ａは、観察者側に向かって突出した凸曲面を含む。また、カバー２１のうちタッチパネル表面２１ａの反対側に位置する面は平坦面である。また、基材３１の観察者側の第１面３１ａも平坦面である。
【００５５】
図７に示すように、第２方向Ｄ２におけるセンサ電極４０の位置として、位置ｘＡ〜ｘＤ及び位置ｘｍａｘを考える。位置ｘＡ〜ｘＤ及び位置ｘｍａｘはいずれも、タッチパネル表面２１ａの凸曲面と重なるセンサ電極４０の位置である。ここで、タッチパネル表面２１ａと重なる位置とは、基材３１の法線方向においてタッチパネル表面２１ａと重なる位置を意味する。このうち、位置ｘｍａｘは、距離Ｄ（ｘ）が最大になる位置である。図７に示す例において、位置ｘｍａｘは、第２方向Ｄ２におけるカバー２１の中央部に存在する。また、位置ｘＡ及び位置ｘＢは、Ｄ（ｘＡ）＞Ｄ（ｘＢ）の関係が成り立つよう設定された位置である。図７に示す例において、位置ｘＡ及び位置ｘＢは、第２方向Ｄ２におけるカバー２１の一側の側部２１ｂと位置ｘｍａｘとの間に存在する。また、位置ｘＣ及び位置ｘＤは、位置ｘＡと位置ｘＢとの間以外の部分でＤ（ｘＣ）＞Ｄ（ｘＤ）の関係が成り立つよう設定された位置である。図７に示す例において、位置ｘＣ及び位置ｘＤは、第２方向Ｄ２におけるカバー２１の他側の側部２１ｃと位置ｘｍａｘとの間に存在する。
【００５６】
図７に示す例において、距離Ｄ（ｘ）は、第２方向Ｄ２におけるカバー２１の中央部から一側および他側の側部２１ｂ，２１ｃに向かうにつれて単調減少する。この場合、位置ｘＡ〜ｘＤ及び位置ｘｍａｘは、第２方向Ｄ２の一側から他側へ位置ｘＢ、位置ｘＡ、位置ｘｍａｘ、位置ｘＣ、位置ｘＤの順に並んでいる。ここで、単調減少とは、広義の単調減少を意味する。すなわち、距離Ｄ（ｘ）は、位置ｘｍａｘから第２方向Ｄ２の一側及び他側に向かう際に、厚みが変化しない部分（すなわち平坦な部分）を含んでもよいが、増加する部分は含まない。言い換えると、距離Ｄ（ｘ）は、最大値Ｄ（ｘｍａｘ）以外の極大値及び極小値を含まない。
【００５７】
位置ｘＢは、例えば、第２方向Ｄ２において最も一側に位置するセンサ電極４０の位置である。この場合、第２方向Ｄ２において位置ｘＢよりさらに一側には、センサ電極４０が存在しない。同様に、位置ｘＤは、例えば、第２方向Ｄ２において最も他側に位置するセンサ電極４０の位置である。この場合、第２方向Ｄ２において位置ｘＤよりさらに他側には、センサ電極４０が存在しない。
【００５８】
次に、図８Ａ及び図８Ｂを参照して、位置ｘのセンサ電極４０における、隣り合う第１線状部分４５ａと第２線状部分４６ａとの第２方向Ｄ２における間隔（以下、位置ｘの関数としてＳ（ｘ）とも表す）について説明する。図８Ａは、第２方向Ｄ２に沿って切断されたカバー２１及びタッチパネルセンサ３０のうちの、位置ｘＡと位置ｘＢとの間の部分を示す縦断面図である。図８Ａにおいては、位置ｘＡと位置ｘＢとの間の位置を、位置ｘＡから位置ｘＢに向かって順にｘ１ＡＢ，・・・，ｘｍＡＢ（ｍは１以上の自然数）で表している。また、図８Ｂは、第２方向Ｄ２に沿って切断されたカバー２１及びタッチパネルセンサ３０のうちの、位置ｘＣと位置ｘＤとの間の部分を示す縦断面図である。図８Ｂにおいては、位置ｘＣと位置ｘＤとの間の位置を、位置ｘＣから位置ｘＤに向かって順にｘ１ＣＤ，・・・，ｘｎＣＤ（ｎは１以上の自然数）で表している。なお、図８Ａ及び図８Ｂにおいては、各位置ｘに配置されたセンサ電極４０に含まれる隣り合う第１線状部分４５ａ及び第２線状部分４６ａが、１組だけ図示されている。
【００５９】
まず、位置ｘＡと位置ｘＢの間における距離Ｄ（ｘ）と間隔Ｓ（ｘ）の関係について説明する。上述のように、距離Ｄ（ｘＡ）と距離Ｄ（ｘＢ）との間には、Ｄ（ｘＡ）＞Ｄ（ｘＢ）の関係が成り立っている。この場合において、間隔Ｓ（ｘＡ）と間隔Ｓ（ｘＢ）との間には、図７、図８Ａ及び図８Ｂに示すように、Ｓ（ｘＡ）＞Ｓ（ｘＢ）の関係が成り立っている。すなわち、Ｄ（ｘＡ）＞Ｄ（ｘＢ）である一組の位置ｘＡ，ｘＢに関して、Ｓ（ｘＡ）＞Ｓ（ｘＢ）となっている。さらに、位置ｘＡ，ｘ１ＡＢ，・・・，ｘｍＡＢ，ｘＢにおいて、Ｄ（ｘＡ）＞Ｄ（ｘ１ＡＢ）＞・・・＞Ｄ（ｘｍＡＢ）＞Ｄ（ｘＢ）  且つ、Ｓ（ｘＡ）≧Ｓ（ｘ１ＡＢ）≧・・・≧Ｓ（ｘｍＡＢ）≧Ｓ（ｘＢ）  の関係が成り立っている。言い換えると、位置ｘＡから位置ｘＢに向かうにつれて、距離Ｄ（ｘ）は小さくなり、間隔Ｓ（ｘ）は単調減少する。
【００６０】
同様の関係が、位置ｘＣと位置ｘＤの間における距離Ｄ（ｘ）と間隔Ｓ（ｘ）において成り立っている。すなわち、図７、図８Ａ及び図８Ｂに示されているように、Ｄ（ｘＣ）＞Ｄ（ｘＤ）の関係、及びＳ（ｘＣ）＞Ｓ（ｘＤ）の関係が成り立っている。また、位置ｘＣ，ｘ１ＣＤ，・・・，ｘｎＣＤ，ｘＤにおいて、Ｄ（ｘＣ）＞Ｄ（ｘ１ＣＤ）＞・・・＞Ｄ（ｘｎＣＤ）＞Ｄ（ｘＤ）  且つ、Ｓ（ｘＣ）≧Ｓ（ｘ１ＣＤ）≧・・・≧Ｓ（ｘｎＣＤ）≧Ｓ（ｘＤ）  の関係が成り立っている。言い換えると、位置ｘＣから位置ｘＤに向かうにつれて、距離Ｄ（ｘ）は小さくなり、間隔Ｓ（ｘ）は単調減少する。
【００６１】
以上のように、第１線状部分４５ａと第２線状部分４６ａとの間隔Ｓ（ｘ）は、センサ電極４０の第１線状部分４５ａとカバー２１のタッチパネル表面２１ａとの距離Ｄ（ｘ）に基づいて調整されている。このような調整を行うことによる効果について、図９および図１０を参照しながら説明する。図９は、本実施の形態に係るタッチパネル２０の作用を説明するための図である。図１０は、比較の形態に係るタッチパネル１２０の作用を説明するための図である。
【００６２】
上述したように、外部導体５がカバー２１のタッチパネル表面２１ａに接触すると、指などの外部導体５と駆動電極（例えば第１電極４５）の間にもコンデンサが形成され、駆動電極からの信号の一部が外部導体５に伝達される。この結果、検出電極（例えば第２電極４６）に伝達される信号が変化する。タッチパネル２０は、このような信号の変化に基づいて、外部導体５の位置を算出することができる。
【００６３】
ところで、第１電極４５の第１線状部分４５ａと第２電極４６の第２線状部分４６ａとの間に電圧が印加されている時、第１線状部分４５ａと第２線状部分４６ａとの間には、一方から他方へ至る電界が生成される。図９及び図１０において、符号Ｅが付された曲線は、第１線状部分４５ａと第２線状部分４６ａの間に生成された電界を表す電気力線の１つである。電気力線Ｅによって画定される電界に外部導体５が侵入すると、電界が外部導体５の影響を受け、この結果、駆動電極（第１線状部分４５ａ）から検出電極（第２線状部分４６ａ）に伝達される信号が変化すると考えられる。従って、静電容量方式のタッチパネルにおいては、外部導体５に起因する信号の変化を、電界と外部導体５との相互作用という観点から説明することも可能であると考える。
【００６４】
電界は、第１線状部分４５ａと第２線状部分４６ａに近いほど強く、離れるほど弱くなる。外部導体５が一定以上の強さの電界に侵入することで、検出可能な大きさの信号が検出電極に生じ、タッチパネル２０への外部導体５の接近又は接触を検出することができる。したがって、外部導体の位置を精度良く算出するためには、電界の強さが一定以上になる空間を画定する電気力線Ｅが、カバー２１のタッチパネル表面２１ａより外方に生成されていることが好ましい。
【００６５】
ところで、本実施の形態においては、上述のように、カバー２１のタッチパネル表面２１ａが曲面を有しており、このため、カバー２１の厚みが位置によって異なる。従って、カバー２１の厚みが大きい部分では、カバー２１の厚みが小さい部分に比べて、一定以上の強さの電界がカバー２１のタッチパネル表面２１ａより外方に生成され難くなってしまう。
【００６６】
このような課題を考慮し、本実施の形態においては、上述のように、第１電極４５の第１線状部分４５ａと第２電極４６の第２線状部分４６ａとの間隔を、カバー２１の厚みに応じて、言い換えるとカバー２１のタッチパネル表面２１ａと第１線状部分４５ａとの間の距離に応じて調整している。なぜなら、第１線状部分４５ａと第２線状部分４６ａとの間の電界がカバー２１の厚み方向において広がる範囲は、言い換えると電気力線Ｅの広がりの程度は、第１線状部分４５ａと第２線状部分４６ａとの間隔が増加するほど大きくなるからである。以下に説明するように、第１線状部分４５ａと第２線状部分４６ａとの間隔をカバー２１の厚みに応じて調整することで、カバー２１のタッチパネル表面２１ａより外方に適切に電界を生成することができる。
【００６７】
図９には、本実施の形態における間隔Ｓ（ｘ）と距離Ｄ（ｘ）との関係が成り立っている場合、すなわち、距離Ｄ（ｘ）が大きい位置ｘほど第１線状部分４５ａと第２線状部分４６ａとの間隔Ｓ（ｘ）が大きくなっている場合における、第１線状部分４５ａと第２線状部分４６ａとの間に生成される電界を表す電気力線Ｅが図示されている。図９及び後述する図１０に示す電気力線Ｅの位置にまで外部導体５が侵入すると、検出電極は、外部導体５に起因する信号の変化を検出することができる。
【００６８】
図９から理解されるように、間隔Ｓ（ｘ）が大きいほど、電気力線Ｅが広がる範囲も拡大する。従って、カバー２１が厚い位置では、より詳しくは距離Ｄ（ｘ）が大きい位置では、間隔Ｓ（ｘ）を大きくすることにより、電気力線Ｅを適切にタッチパネル表面２１ａより外方にまで広げることができる。さらには、距離Ｄ（ｘ）が小さい位置では、間隔Ｓ（ｘ）を小さくすることにより、電気力線Ｅがタッチパネル表面２１ａより外方に過剰に広がることを抑制することができる。これによって、図９に示すように、電気力線Ｅの頂点とタッチパネル表面２１ａとの距離Ｈを、距離Ｄ（ｘ）に依らずほぼ一定にすることができる。これにより、タッチパネル２０の検出感度が距離Ｄ（ｘ）に応じてばらつくことを抑制することができる。
【００６９】
なお、具体的な間隔Ｓ（ｘ）は、距離Ｄ（ｘ）の他、カバー２１の材料の誘電率等を考慮して決定される。
【００７０】
図１０は、比較の形態に係るタッチパネル１２０を示す図である。タッチパネル１２０において、第１線状部分１４５ａと第２線状部分１４６ａとの間隔は、カバー１２１の厚みに依らず一定である。この場合、図１０の右側に示すように、カバー１２１の厚みが大きい位置では、電気力線Ｅがタッチパネル表面１２１ａより外方にまでは広がらないと考えられる。この結果、カバー１２１の厚みが大きい位置では、外部導体５を適切に検出することができないと考えられる。また、図示はしないが、仮にカバー１２１の厚みが大きい位置における検出感度を高めるために第１線状部分１４５ａと第２線状部分１４６ａとの間隔を広げた場合、カバー１２１の厚みが小さい位置において電気力線Ｅがタッチパネル表面１２１ａより外方に過剰に広がってしまう。この場合、カバー１２１の厚みが小さい位置においては、タッチパネル１２０やタッチ位置検出機能付き表示装置１０１の使用者が指等の外部導体５を接近させる意図がなくても、外部導体５の接近を検出すること、いわゆる誤検出が起こり得る。
【００７１】
これに対して、本実施の形態によれば、第１線状部分４５ａと第２線状部分４６ａとの間隔をカバー２１の厚みに応じて調整することにより、各位置におけるタッチパネル２０の感度を均一化することができる。
【００７２】
なお、上述した実施の形態に対して様々な変更を加えることが可能である。以下、図面を参照しながら、変形例について説明する。以下の説明及び以下の説明で用いる図面では、上述した実施の形態と同様に構成され得る部分について、上述の各実施の形態における対応する部分に対して用いた符号と同一の符号を用いることとし、重複する説明を省略する。また、上述した実施の形態において得られる作用効果が変形例においても得られることが明らかである場合、その説明を省略することもある。
【００７３】
（センサ電極の変形例）
図１１は、本変形例におけるタッチパネルセンサの一部、例えばセンサ電極４０＿１１、センサ電極４０＿１２、センサ電極４０＿１３、センサ電極４０＿２１、センサ電極４０＿２２及びセンサ電極４０＿２３を拡大して示す平面図である。センサ電極４０は、第１電極４５及び第２電極４６のいずれにも接続されていないダミー電極４７をさらに有する。
【００７４】
図１２は、タッチパネルセンサ３０の１つのセンサ電極４０、例えばセンサ電極４０＿１１を拡大して示す図である。また、図１３は、図１２に示すセンサ電極４０のうち符号ＸＩＩＩが付された枠で囲まれた部分を拡大して示す平面図である。ダミー電極４７は、少なくとも第３線状部分４７ａを含む。第３線状部分４７ａは、図１３に示すように、第１電極４５の第１線状部分４５ａの側部４５ａ１と第２電極４６の第２線状部分４６ａの側部４６ａ１との間に位置する。ダミー電極４７は、第４線状部分４７ｂを更に含んでいてもよい。第４線状部分４７ｂは、図１３に示すように、第１電極４５の第１接続部分４５ｂの側部４５ｂ１と第２電極４６の第２線状部分４６ａの端部４６ａ２との間に位置する。第４線状部分４７ｂは、第２電極４６の第２接続部分４６ｂの側部４６ｂ１と第１電極４５の第１線状部分４５ａの端部４５ａ２との間に位置していてもよい。
【００７５】
図１１乃至図１３に示された例において、ダミー電極４７の複数の第３線状部分４７ａ及び第４線状部分４７ｂは、互いに接続されて、１つのセンサ電極４０内で連続している。図示はしないが、ダミー電極４７は、１つのセンサ電極４０内で不連続であってもよい。例えば、第３線状部分４７ａと第４線状部分４７ｂとが、互いに接続されておらず、独立していてもよい。
【００７６】
図１２及び図１３に示すように、ダミー電極４７の第３線状部分４７ａ及び第４線状部分４７ｂはそれぞれ、第１電極４５及び第２電極４６と同様に、網目状に配置された複数の導線４１を含む。第１線状部分４５ａ及び第２線状部分４６ａを構成する導線４１は、好ましくは、導線４１を延長すると第１電極４５又は第２電極４６の導線４１と重なるよう、配置されている。
【００７７】
図１２及び図１３に示すように、本変形例においては、第１方向Ｄ１に延びる第１隙間Ｇ１は、第１電極４５の第１線状部分４５ａとダミー電極４７の第３線状部分４７ａとの間に形成される隙間Ｇ１１と、第２電極４６の第２線状部分４６ａとダミー電極４７の第３線状部分４７ａとの間に形成される隙間Ｇ１２と、を含む。また、第２方向Ｄ２に延びる第２隙間Ｇ２は、第１電極４５の第１接続部分４５ｂ及び第２電極の第２接続部分４６ｂとダミー電極４７の第４線状部分４７ｂとの間に形成される隙間Ｇ２１と、第１電極４５の第１線状部分４５ａ及び第２電極４６の第２線状部分４６ａとダミー電極４７の第４線状部分４７ｂとの間に形成される隙間Ｇ２２と、を含む。隙間Ｇ１１の幅ａ１、隙間Ｇ１２の幅ａ２、隙間Ｇ２１の幅ｂ１及び隙間Ｇ２２の幅ｂ２は、各隙間を目立たなくするために小さいことが好ましく、例えば５μｍ以上且つ７０μｍ以下である。
【００７８】
図１１乃至図１３に示す本変形例においても、間隔Ｓ（ｘ）は、隣り合う第１電極４５の第１線状部分４５ａと第２電極４６の第２線状部分４６ａとの間の間隔を意味する。したがって、図１３において、間隔Ｓ（ｘ）は、第１方向における隙間Ｇ１１の幅ａ１と、隙間Ｇ１２の幅ａ２と、ダミー電極４７の第３線状部分４７ａの幅の和である。
【００７９】
センサ電極４０が第１電極４５と第２電極４６の間にダミー電極４７を有することで、第１電極４５と第２電極４６の間の隙間を小さくすることができ、隙間を目立たなくさせることができる。好ましくは、位置ｘに依らず隙間の幅が均一になるよう、ダミー電極４７の幅を、第１線状部分４５ａと第２線状部分４６ａとの間の間隔Ｓ（ｘ）に応じて調整する。
【００８０】
（タッチパネルの変形例）
図１４乃至図１６は、本変形例のタッチパネル２０を示す。図１４によく示されているように、本変形例では、タッチパネル２０のカバー２１のタッチパネル表面２１ａが、凹曲面を有する。
【００８１】
図１５は、本変形例における、複数の第１線状部分４５ａ及び複数の第２線状部分４６ａが並ぶ第２方向Ｄ２に沿ってタッチパネル２０を切断した場合の断面を示している。図１５では図７と同様に、位置ｘに配置されたセンサ電極４０に含まれる第１線状部分４５ａを、１つだけ図示している。
【００８２】
図１５に示すように、第２方向Ｄ２におけるセンサ電極４０の位置として、位置ｘＡ〜ｘＤ及び位置ｘｍｉｎを考える。位置ｘＡ〜ｘＤ及び位置ｘｍｉｎはいずれも、タッチパネル表面２１ａの凹曲面と重なるセンサ電極４０の位置である。このうち、位置ｘｍｉｎは、距離Ｄ（ｘ）が最小になる位置である。図１５に示す例において、位置ｘｍｉｎは、第２方向Ｄ２におけるカバー２１の中央部に存在する。また、位置ｘＡ及び位置ｘＢは、第２方向Ｄ２におけるカバー２１の一側の側部２１ｂと位置ｘｍｉｎとの間に存在し、位置ｘＣ及び位置ｘＤは、第２方向Ｄ２におけるカバー２１の他側の側部２１ｃと位置ｘｍｉｎとの間に存在する。
【００８３】
図１５に示す例において、距離Ｄ（ｘ）は、第２方向Ｄ２におけるカバー２１の中央部から一側および他側の側部２１ｂ，２１ｃに向かうにつれて単調増加する。この場合、位置ｘＡ〜ｘＤ及び位置ｘｍｉｎは、第２方向Ｄ２の一側から他側へ位置ｘＡ、位置ｘＢ、位置ｘｍｉｎ、位置ｘＤ、位置ｘＣの順に並んでいる。ここで、単調増加とは、広義の単調増加を意味する。すなわち、距離Ｄ（ｘ）は、位置ｘｍｉｎから第２方向Ｄ２の一側及び他側に向かう際に、厚みが変化しない部分（すなわち平坦な部分）を含んでもよいが、減少する部分は含まない。言い換えると、距離Ｄ（ｘ）は、最小値Ｄ（ｘｍｉｎ）以外の極大値及び極小値を含まない。
【００８４】
位置ｘＡは、例えば、第２方向Ｄ２において最も一側に位置するセンサ電極４０の位置である。この場合、第２方向Ｄ２において位置ｘＡよりさらに一側には、センサ電極４０が存在しない。同様に、位置ｘＣは、例えば、第２方向Ｄ２において最も他側に位置するセンサ電極４０の位置である。この場合、第２方向Ｄ２において位置ｘＣよりさらに他側には、センサ電極４０が存在しない。
【００８５】
図１６に示すように、本変形例においても、位置ｘＡと位置ｘＢとの間において、Ｄ（ｘＡ）＞Ｄ（ｘ１ＡＢ）＞・・・＞Ｄ（ｘｍＡＢ）＞Ｄ（ｘＢ）  且つ、Ｓ（ｘＡ）≧Ｓ（ｘ１ＡＢ）≧・・・≧Ｓ（ｘｍＡＢ）≧Ｓ（ｘＢ）  の関係が成り立っている。言い換えると、位置ｘＡから位置ｘＢに向かうにつれて、距離Ｄ（ｘ）は小さくなり、間隔Ｓ（ｘ）は単調減少する。また、位置ｘＣと位置ｘＤとの間において、Ｄ（ｘＣ）＞Ｄ（ｘ１ＣＤ）＞・・・＞Ｄ（ｘｎＣＤ）＞Ｄ（ｘＤ）  且つ、Ｓ（ｘＣ）≧Ｓ（ｘ１ＣＤ）≧・・・≧Ｓ（ｘｎＣＤ）≧Ｓ（ｘＤ）  の関係が成り立っている。言い換えると、位置ｘＣから位置ｘＤに向かうにつれて、距離Ｄ（ｘ）は小さくなり、間隔Ｓ（ｘ）は単調減少する。
【００８６】
本変形例においても、このように第１線状部分４５ａと第２線状部分４６ａとの間隔を凹型のカバー２１の厚みに応じて調整することにより、各位置におけるタッチパネル２０の感度を均一化することができる。
【００８７】
（その他の変形例）
図１及び図１４において、第２方向Ｄ２に沿ってカバー２１を切断した場合のタッチパネル表面２１ａが、凸曲面または凹曲面などの曲面を含む例を示した。しかしながら、これらの例に限らず、図示はしないが、第１方向Ｄ１に沿ってカバー２１を切断した場合のタッチパネル表面２１ａが、凸曲面または凹曲面などの曲面を含んでいてもよい。例えば、タッチパネル表面２１ａは、半球面などであってもよい。また、タッチパネル表面２１ａは、第１方向において凸曲面又は凹曲面の一方を含み、第２方向において凸曲面又は凹曲面の他方を含む、いわゆる鞍型の曲面であってもよい。この場合、第１方向Ｄ１においても、第１線状部分４５ａとカバー２１のタッチパネル表面２１ａとの距離Ｄが、位置に応じて異なることになる。従って、好ましくは、第１線状部分４５ａと第２線状部分４６ａとの間隔を、センサ電極４０の第２方向Ｄ２での位置だけでなく、第１方向Ｄ１での位置における、第１線状部分４５ａとカバー２１のタッチパネル表面２１ａとの距離に基づいて、調整する。この場合、間隔Ｓが、センサ電極４０の第２方向Ｄ２における位置ｘと第１方向Ｄ１における位置ｙとの関数Ｓ（ｘ，ｙ）となる。このようにすることで、第１方向Ｄ１及び第２方向Ｄ２の各位置におけるタッチパネル２０の感度を均一化することができる。
【００８８】
また、上述した実施の形態及び変形例では、第１線状部分４５ａと第２線状部分４６ａとの間隔Ｓが、１つのセンサ電極４０内においては一定である例を示した。しかしながら、１つのセンサ電極４０内においても、第１線状部分４５ａとカバー２１のタッチパネル表面２１ａとの距離Ｄに応じて間隔Ｓを調整してもよい。
【００８９】
また、上述した実施の形態及び変形例では、基材３１の観察者側の面にセンサ電極４０、第１配線３５及び第２配線３６を配置する例を示したが、センサ電極４０、第１配線３５及び第２配線３６は、基材３１の観察者側の面とは逆側の面、すなわち表示装置１０の側の面に配置されてもよい。また、上述した実施の形態及び変形例では、基材３１のセンサ電極４０等が配置された第１面３１ａが平面であったが、これに限らず、基材３１の第１面３１ａが曲面を含んでいてもよい。
【００９０】
なお、上述した実施の形態に対するいくつかの変形例を説明してきたが、当然に、複数の変形例を適宜組み合わせて適用することも可能である。
【符号の説明】
【００９１】
１    タッチ位置検出機能付き表示装置
５    外部導体
１０    表示装置
１６    表示パネル
１６ａ  表示面
２０    タッチパネル
２１    カバー
２１ａ  タッチパネル表面
３０    タッチパネルセンサ
３１    基材
３１ａ  第１面
３５    第１配線
３６    第２配線
４０    センサ電極
４１    導線
４２    開口部
４３    分断部
４５    第１電極
４５ａ  第１線状部分
４５ｂ  第１接続部分
４６    第２電極
４６ａ  第２線状部分
４６ｂ  第２接続部分
４７    ダミー電極
【図１】
2018112843.tif 000003
【図２】
2018112843.tif 000004
【図３】
2018112843.tif 000005
【図４】
2018112843.tif 000006
【図５】
2018112843.tif 000007
【図６】
2018112843.tif 000008
【図７】
2018112843.tif 000009
【図８Ａ】
2018112843.tif 000010
【図８Ｂ】
2018112843.tif 000011
【図９】
2018112843.tif 000012
【図１０】
2018112843.tif 000013
【図１１】
2018112843.tif 000014
【図１２】
2018112843.tif 000015
【図１３】
2018112843.tif 000016
【図１４】
2018112843.tif 000017
【図１５】
2018112843.tif 000018
【図１６】
2018112843.tif 000019